(57)【特許請求の範囲】
【請求項１】
液体吸上げ用の吸込み弁２付き起立筒３下部を、該起立筒に付設した第１外向きフランジ４を介して垂設した基筒５で囲成し、該基筒の下部外面に付設した第２外向きフランジ６上面へ、上端に有する内向きフランジ７を係合させて、容器体口頸部螺合用のキャップ状筒８を垂下するトリガー式の液体噴出器と、
周壁２１上端部から肩部２２を介して上記キャップ状筒８内面へ螺合させた口頸部２３を起立すると共に、周壁２１下面を開閉自在に閉塞する底壁２４後部を肉薄ヒンジ２９を介して周壁２１下端へ連結させ、また底壁２４前部から突設した係合片３０を周壁２１下端部外面に形成した突部３１へ着脱自在に係合させた容器体２０と、
上記起立筒３下部内から吸上筒を容器体上部内へ垂設すると共に、該吸上筒下端面を傾斜させて、容器体内へ収納する耐水性を有し、かつ柔軟な詰替え液体収納用袋５０の底壁中央部を水密に突刺し可能に設けた吸上げ部材４０とを有する
ことを特徴とするトリガー式液体噴出容器。
【請求項２】
上記吸上筒を、起立筒３下部内から口頸部２３下方の容器体上部内へ垂下する第１吸上げパイプ４１と、該第１吸上げパイプ下部に形成した連通室４９を介して容器体上方中央部へ垂下する、剛性を有する第２吸上げパイプ４８とで形成し、かつ連通室４９を固定部を介して上記容器体上部内面へ固着させた
ことを特徴とする請求項１記載のトリガー式液体噴出容器。
【請求項３】
上記容器体底壁２４を容器体下部内へ突出させた
ことを特徴とする請求項１又は２記載のトリガー式液体噴出容器。
【請求項４】
上記容器体底壁２４を容器体下部内へ起立する下方大径の有頂テーパ状筒に形成した
ことを特徴とする請求項３記載のトリガー式液体噴出容器。
【発明の詳細な説明】
【０００１】
【発明の属する技術分野】
本発明はトリガー式の液体噴出容器に関する。
【０００２】
【従来の技術】
例えば、特開平１０−２４９２５２号が示すように、容器体口頸部へ嵌合させた装着筒内から主筒を起立し、該主筒前面からシリンダを、かつ主筒上端から射出筒を、それぞれ前方突出し、又射出筒前部に枢着させて垂設したトリガーの上方後部に、上記シリンダ内へ嵌合させたプランジャ前端部を連結し、かつトリガーを前方付勢させ、トリガーの前後方向揺動で容器体内液体をシリンダ内へ吸込み、かつ該シリンダ内液体を射出筒前端から噴出可能に設けたトリガー式の液体噴出容器が知られている。
【０００３】
【発明が解決しようとする課題】
上記のようなトリガー式液体噴出容器において、容器体内液体を使い切った場合は、口頸部から装着筒を螺脱させて、主筒を容器体から取り外した後、詰替え容器内の液体を口頸部から容器体内へ注入して詰替えを行う。
しかし、このような詰替えによる場合は、注意を要する注入作業に加えて、装着筒の螺脱及び螺合が必要であるため、詰替えが多少面倒なものとなっていた。
【０００４】
請求項１記載の発明に係るトリガー式液体噴出容器は、詰替え液体収納用袋を、容器体底壁を開放して容器体内へ収納するだけで使用可能にしようとするものである。
請求項２記載の発明に係るトリガー式液体噴出容器は、上記請求項１記載の発明が有する解決課題を有するほか、第２吸上げパイプが詰替え液体収納用袋の底壁中央部を確実に突刺し可能にしようとするものである。
請求項３又は４記載の発明に係るトリガー式液体噴出容器は、上記請求項１又は２記載の発明が有する解決課題を有するほか、容器体底壁をテーパ状筒に形成することにより、詰替え液体収納用袋内の液体を余すことなく使用可能にしようとするものである。
【０００５】
【課題を解決するための手段】
第１の手段として、液体吸上げ用の吸込み弁２付き起立筒３下部を、該起立筒に付設した第１外向きフランジ４を介して垂設した基筒５で囲成し、該基筒の下部外面に付設した第２外向きフランジ６上面へ、上端に有する内向きフランジ７を係合させて、容器体口頸部螺合用のキャップ状筒８を垂下するトリガー式の液体噴出器と、
周壁２１上端部から肩部２２を介して上記キャップ状筒８内面へ螺合させた口頸部２３を起立すると共に、周壁２１下面を開閉自在に閉塞する底壁２４後部を肉薄ヒンジ２９を介して周壁２１下端へ連結させ、また底壁２４前部から突設した係合片３０を周壁２１下端部外面に形成した突部３１へ着脱自在に係合させた容器体２０と、
上記起立筒３下部内から吸上筒を容器体上部内へ垂設すると共に、該吸上筒下端面を傾斜させて、容器体内へ収納する耐水性を有し、かつ柔軟な詰替え液体収納用袋５０の底壁中央部を水密に突刺し可能に設けた吸上げ部材４０とを有する。
【０００６】
第２の手段として、上記第１の手段を有すると共に、上記吸上筒を、起立筒３下部内から口頸部２３下方の容器体上部内へ垂下する第１吸上げパイプ４１と、該第１吸上げパイプ下部に形成した連通室４９を介して容器体上方中央部へ垂下する、剛性を有する第２吸上げパイプ４８とで形成し、かつ連通室４９を固定部を介して上記容器体上部内面へ固着させた。
【０００７】
第３の手段として、上記第１又は第２の手段を有すると共に、上記容器体底壁２４を容器体下部内へ突出させた。
第４の手段として、上記第３の手段を有すると共に、上記容器体底壁２４を容器体下部内へ起立する下方大径の有頂テーパ状筒に形成した。
【０００８】
【発明の実施の形態】
以下、本発明に係るトリガー式液体噴出容器の実施形態を図面を参照しながら説明する。
１はトリガー式液体噴出器で、液体吸上げ用の吸込み弁２を有する起立筒３下端部を、該起立筒下端部に付設した第１外向きフランジ４を介して垂設した基筒５で囲成し、該基筒の下部外面に付設した第２外向きフランジ６上面へ、上端に有する内向きフランジ７を係合させて、容器体口頸部螺合用のキャップ状筒８を垂下する。
【０００９】
一方、起立筒３外面へ嵌合させた垂直筒３ａ前面からシリンダ９を、かつ起立筒３上端からノズル付き射出筒１０を、それぞれ前方突設し、シリンダ９内へ嵌合させたプランジャ１１前端部をトリガー１２へ連結させ、トリガー１２を前後動させると、容器体内の詰替え液体収納用袋の液体がシリンダ９内へ吸い込まれ、かつこのシリンダ内液体が射出筒１０前端のノズルから噴出される。
【００１０】
２０は容器体で、横断面楕円形状の周壁２１上方後部から肩部２２を介して口頸部２３を起立し、該口頸部外面へキャップ状筒８を螺合させる。
また、周壁２１下面を底壁２４で開閉自在に閉塞する。該底壁は、周壁２１下端へ当接させた筒壁２６上端内周部から短筒２７を起立して、該短筒を周壁２１下端部内面へ嵌合させると共に、筒壁２６下端内面に内向きフランジを付設し、該内向きフランジ内周から垂直筒を介して下方大径の有頂テーパ状筒２８を、周壁２１下部内へ起立する。そして筒壁２６の後方上端を肉薄ヒンジ２９を介して周壁２１下端へ連結すると共に、筒壁２６前部からコ字状の弾性係合片３０を上方突設して、該係合片内周の上端部分を、周壁２１下端部外面に形成した突条３１へ着脱自在に係合させる。
【００１１】
なお、テーパ状筒２８は図示のように円錐形状であることが好ましいが、これに限らず截頭円錐形状でもよく、或いは円筒形状でもよい。
さらに、容器体肩部２２部分内面から第１垂下筒３２と、該第１垂下筒内に位置して、第１垂下筒３２と後半壁を共用する第２垂下筒３３とを垂下する。
【００１２】
４０は吸上げ部材で、起立筒３下端部内面へ第１吸上げパイプ４１上端部を嵌合させて、該第１吸上げパイプを容器体口頸部２３下方へ垂下させ、かつ該第１吸上げパイプ４１下端に付設した鍔状壁４２外周から第１嵌合筒４３を垂下すると共に、該第１嵌合筒下端から外向きフランジを介して第２嵌合筒４４を起立して、該第２嵌合筒を第２垂下筒３３上部内面へ凹凸の係合手段を介して抜出し不能に嵌合させ、さらに、鍔状壁４２下面から内筒４５を垂下して、該内筒外面と第１嵌合筒４３内面との間に環状溝を形成する。
【００１３】
一方、第１嵌合筒４３内面へ嵌合させた第３嵌合筒４６上部を、内筒４５と第１嵌合筒４３との間の環状溝内へ嵌合させると共に、第３嵌合筒４６下部を閉塞する底板４７前部に透孔を穿設して、該透孔内周縁から周壁２１上方中央へ垂下する剛性を具えた第２吸上げパイプ４８を垂下し、かつ該第２吸上げパイプ下端面を傾斜面に形成して、容器体内へ収納する耐水性を有し、かつ柔軟な詰替え液体収納用袋５０の底壁中央部を水密に突刺し可能にする。
【００１４】
なお、上記では鍔状壁４２と内筒４５と底板４７とで連通室４９を形成し、該連通室を介して第１吸上げパイプ４１と第２吸上げパイプ４８とを連通させるが、連通室としてはこれに限らず、例えば、第１吸上げパイプ４１下端と第２吸上げパイプ４８上端とを連結する連結パイプで形成してもよい。
また、上記では口頸部２３が容器体軸線から後方へ偏心しているが、このように偏心させることなく容器体軸線に一致させることも可能である。そして、この場合には吸上げパイプ４１が容器体軸線と一致するため、上記のように吸上げパイプを２分割して、一方のパイプ４８を容器体軸線に一致させる必要がない。すなわち、口頸部２３と容器体との軸線が一致する場合には連通室４９を省略して、一本の吸上げパイプの下端面を傾斜させるだけで詰替え液体収納用袋５０の突刺しが可能である。
【００１５】
次に本実施形態の作用について説明する。
容器体２０内へ詰替え液体収納用袋５０を収納するには、図２に示すように容器体を倒立させ、かつ係合片３０を突条３１から離脱させて底壁２４を開いた後、詰替え液体収納用袋５０を、底部を下方へ向けて容器体２０内へ収納すればよく、すると第２吸上げパイプ４８が袋底壁中央を水密に突き刺す。仮に、完全に突き刺さることがなくとも、底壁２４は上方へ突出しているため、底壁２４を閉じると袋５０が膨満して第２吸上げパイプ４８が確実に突き刺す。
【００１６】
液体を噴出させるにはトリガー１２を前後方向へ揺動させればよく、すると詰替え液体収納用袋５０内の液体がシリンダ９内へ吸い込まれ、かつ吸い込まれたシリンダ内液体は射出筒１０から噴出される。
袋５０内液体が減少して袋５０内が負圧化しても、底壁２４が上方へ突出しているため、袋が平たくなって横方向に波を打つことがなく、このため液体が袋内で上下に分断されることがなく、よって袋下部内の液体が吸込み不能になるというようなことがない。
【００１７】
【発明の効果】
請求項１乃至３記載の発明に係るトリガー式液体噴出容器は、第２吸上げパイプ下端面を傾斜させて、容器体内へ収納する詰替え液体収納用袋を突刺し可能に、かつ容器体底壁を開閉可能に形成したので、袋交換を容器体底壁からワンタッチで行なうことができる。
【００１８】
請求項２記載の発明に係るトリガー式液体噴出容器は、第２吸上げパイプを容器体中央部へ垂下させ、かつその長さを比較的短くしたので、詰替え液体収納用袋の底壁中央部を第２吸上げパイプが折れ曲がることなく、確実に突き刺すことができる。
【００１９】
請求項３及び４記載の発明に係るトリガー式液体噴出容器は、容器体底壁を上方へ突出させて、詰替え液体収納用袋を膨満させるようにしたので、第２吸上げパイプが円滑かつ確実に突き刺さると共に、詰替え液体収納用袋内の液体が減少しても袋が横方向に波打つことがなく、このため袋内液体が上下に分断されることがなく、よって袋内液体を殆ど余すことなく使用することができる。
【図面の簡単な説明】
【図１】本発明に係るトリガー式液体噴出容器の一部断面図。
【図２】同じく、詰替え液体収納用袋を容器体底壁から容器体内へ収納する際の状態を現す斜視図。
【符号の説明】
１  トリガー式液体噴出器
２  吸込み弁
３  起立筒
４  第１外向きフランジ
５  基筒
６  第２外向きフランジ
７  内向きフランジ
８  キャップ状筒
２０  容器体
２１  周壁
２２  肩部
２３  口頸部
２４  底壁
２８  テーパ状筒
２９  肉薄ヒンジ
３０  係合片
３１  突条
４０  吸上げ部材
４１  第１吸上げパイプ
４８  第２吸上げパイプ
４９  連通室
５０  詰替え液体収納用袋
【図１】
0003822375.tif 000002
【図２】
0003822375.tif 000003